(57)【要約】【課題】粘土鉱物を用いた洗剤組成物において、繊維製品等の被洗浄物の洗浄と同時に、洗浄物に優れた柔軟性を付与し得る衣料用粉末洗剤組成物を提供する。【解決手段】（ａ）下記一般式（Ｉ）で表されるスメクタイト型粘土鉱物（但し、Ｎａ／Ｌｉの質量比が１００／１〜８００／１である）、（ｂ）陰イオン界面活性剤、及び（ｃ）非イオン界面活性剤を、それぞれ特定範囲の濃度で含有する衣料用粉末洗剤組成物。［Ｓｉ8（ＭｇaＡｌb）Ｏ20（ＯＨ）4］x-・Ｍｅx+          （Ｉ）（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）【選択図】なし【特許請求の範囲】
【請求項１】
（ａ）下記一般式（Ｉ）で表されるスメクタイト型粘土鉱物（但し、Ｎａ／Ｌｉの質量比が１００／１〜８００／１である）５〜３０質量％、（ｂ）陰イオン界面活性剤５〜３０質量％、及び（ｃ）非イオン界面活性剤０．１〜１０質量％を含有する衣料用粉末洗剤組成物。
［Ｓｉ8（ＭｇaＡｌb）Ｏ20（ＯＨ）4］x-・Ｍｅx+          （Ｉ）
（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）
【請求項２】
更に、（ｄ）炭酸アルカリ金属塩５〜４０質量％を含有し、炭酸ナトリウム塩／炭酸カリウム塩の質量比が１０／０〜４／６である請求項１記載の衣料用粉末洗剤組成物。
【請求項３】
（ａ）成分中の、一般式（Ｉ）におけるＭｅの５０質量％以上がＮａである請求項１又は２記載の衣料用粉末洗剤組成物。
【請求項４】
（ｂ）成分として少なくともα−スルホ脂肪酸アルキルエステル塩を衣料用粉末洗剤組成物中に２〜２０質量％含有する請求項１〜３何れか記載の衣料用粉末洗剤組成物。
【請求項５】
（ａ）成分／α−スルホ脂肪酸アルキルエステル塩の質量比が６／１〜３／４である請求項４記載の衣料用粉末洗剤組成物。
【請求項６】
α−スルホ脂肪酸アルキルエステル塩が、（ｂ１）α−スルホミリスチン酸アルキルエステル塩及び（ｂ２）α−パルミチン酸アルキルエステル塩を含み、（ｂ１）／（ｂ２）の質量比が１／９〜３／７であり、α−スルホ脂肪酸アルキルエステル塩中の（ｂ１）成分と（ｂ２）成分の合計量が９０質量％以上である請求項４又は５記載の衣料用粉末洗剤組成物。
【請求項７】
（ｂ）成分として脂肪酸塩を含有し、α−スルホ脂肪酸アルキルエステル塩／脂肪酸塩の質量比が２／１〜１／３である請求項４〜６何れか記載の衣料用粉末洗剤組成物。
【請求項８】
（ｃ）成分が、下記一般式（II）で示される非イオン界面活性剤である請求項１〜７何れか記載の衣料用粉末洗剤組成物。
Ｒ1−Ｘ−［（ＥＯ）n／（ＰＯ）m］−Ｒ2            （II）
（式中、Ｒ1は炭素数８〜２０の疎水基、−Ｘ−は、−Ｏ−、−ＣＯＯ−、−ＣＯＮＨ−を表わす。ＥＯはオキシエチレン基、ＰＯはオキシプロピレン基、ｎ及びｍは平均付加モル数を表わし、ｎは３〜２０、ｍは０〜６である。なお、ＥＯ群とＰＯ群の付加形態はブロックでもランダムでもよい。Ｒ2は水素原子又は炭素数１〜６の炭化水素基である。）
【請求項９】
（ａ）下記一般式（Ｉ）で表されるスメクタイト型粘土鉱物（但し、Ｎａ／Ｌｉの質量比が１００／１〜８００／１である）５〜３０質量％、（ｂ）陰イオン界面活性剤５〜３０質量％、及び（ｃ）非イオン界面活性剤０．１〜１０質量％を含有する衣料用粉末洗剤組成物を、衣料１ｋｇ当たり５〜１５ｇ使用する洗濯方法。
［Ｓｉ8（ＭｇaＡｌb）Ｏ20（ＯＨ）4］x-・Ｍｅx+          （Ｉ）
（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）
【発明の詳細な説明】
【技術分野】
【０００１】
本発明は、柔軟化基剤として粘土鉱物を用いた衣料用粉末洗剤組成物、及び衣料に柔軟性を付与できる洗濯方法に関する。
【背景技術】
【０００２】
従来から、洗浄後の繊維製品が、繊維処理剤の脱落や塩類の付着等によって、柔らかさを失い、ごわごわした感触になるのを防止するために、洗浄剤に柔軟化剤を配合することが検討されてきた。繊維表面に沈着して、繊維製品の風合いに柔軟性を付与する柔軟化剤として、従来、スメクタイト等の粘土鉱物（例えば特許文献１参照。）、ジアルキル型第４級アンモニウム塩等の陽イオン界面活性剤（例えば非特許文献１参照。）、ポリ（ジメチルシロキサン）等のシリコーン（例えば特許文献２参照。）、等が用いられてきた。
【０００３】
近年、配合の容易性、環境対応等の点から、粘土鉱物の柔軟効果増強方法の検討がなされている。例えば、ベントナイトとペンタエリトリトール化合物との併用（例えば特許文献３参照。）、粘土鉱物と凝集剤との併用（例えば特許文献４参照。）、ベントナイトと可溶性カリウム塩との併用（例えば特許文献５、非特許文献１参照。）等が知られている。
【特許文献１】特開昭４９−８５１０２号公報
【特許文献２】特開２００２−２４９７９９号公報
【特許文献３】特開平５−１４０８６９号公報
【特許文献４】特表２００２−５４１３４２号公報
【特許文献５】特表平８−５０６８４３号公報
【非特許文献１】周知・慣用技術集（衣料用粉末洗剤）、特許庁公報、平成10(1998).3.26 発行
【発明の開示】
【発明が解決しようとする課題】
【０００４】
粘土鉱物を用いることは、配合の容易性、環境対応等の点から利点があるが、未だに通常の洗浄工程の中で十分な柔軟性を付与するには至っていない。
【０００５】
本発明の課題は、粘土鉱物を用いた洗剤組成物において、繊維製品等の被洗浄物の洗浄と同時に、洗浄物に優れた柔軟性を付与し得る衣料用粉末洗剤組成物、該衣料用粉末洗剤組成物を用いた洗濯方法を提供することにある。
【課題を解決するための手段】
【０００６】
本発明は、（ａ）下記一般式（Ｉ）で表されるスメクタイト型粘土鉱物（但し、Ｎａ／Ｌｉの質量比が１００／１〜８００／１である）５〜３０質量％、（ｂ）陰イオン界面活性剤５〜３０質量％、及び（ｃ）非イオン界面活性剤０．１〜１０質量％を含有する衣料用粉末洗剤組成物に関する。
［Ｓｉ8（ＭｇaＡｌb）Ｏ20（ＯＨ）4］x-・Ｍｅx+          （Ｉ）
（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）
【０００７】
また、本発明は、（ａ）下記一般式（Ｉ）で表されるスメクタイト型粘土鉱物（但し、Ｎａ／Ｌｉの質量比が１００／１〜８００／１である）〔以下、（ａ）成分という〕５〜３０質量％、（ｂ）陰イオン界面活性剤〔以下、（ｂ）成分という〕５〜３０質量％、及び（ｃ）非イオン界面活性剤〔以下、（ｃ）成分という〕０．１〜１０質量％を含有する衣料用粉末洗剤組成物を、衣料１ｋｇ当たり５〜１５ｇ使用する、衣料に柔軟性を付与できる洗濯方法に関する。
［Ｓｉ8（ＭｇaＡｌb）Ｏ20（ＯＨ）4］x-・Ｍｅx+          （Ｉ）
（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）
【発明の効果】
【０００８】
本発明によれば、衣料等の繊維製品に対する柔軟性付与効果に優れ、且つ洗浄力にも優れた衣料用粉末洗剤組成物が提供される。この組成物を用いて衣料等を洗濯することにより、洗浄と共に柔軟性付与のための処理を行うことができる。
【発明を実施するための最良の形態】
【０００９】
洗浄性能、溶解性の観点から、本発明の衣料用粉末洗剤組成物のＪＩＳ Ｋ ３３６２：１９９８記載の界面活性剤相当分は２０〜５０質量％が好ましく、２５〜４５質量％がより好ましく、３０〜４０質量％が更に好ましい。
【００１０】
本発明の衣料用粉末洗剤組成物は洗浄性能、損傷性の観点で、ＪＩＳ Ｋ ３３６２：１９９８記載の２０℃で測定する０．１質量％水溶液のｐＨが８〜１２であることが好ましく、９〜１１．５がより好ましく、９．５〜１１が更に好ましく、１０〜１１が特に好ましい。ｐＨ調整剤によりこのような範囲になるように調整することが好ましく、水酸化ナトリウム、水酸化カリウム等のアルカリ金属水酸化物、炭酸ナトリウム、炭酸カリウム等のアルカリ金属炭酸塩、珪酸ナトリウム、珪酸カリウム等のアルカリ金属珪酸塩等を用いることができる。
【００１１】
本発明の衣料用粉末洗剤組成物は溶解性の観点で、ＪＩＳ Ｋ ３３６２：１９９８により規定された方法で測定する見掛け密度は１６００ｇ／Ｌ以下が好ましく、１３００ｇ／Ｌ以下がより好ましく、１０００ｇ／Ｌ以下が更に好ましい。また、利便性や廃棄物（例えば箱等）低減の観点で、見掛け密度は３００ｇ／Ｌ以上であることが好ましく、６００ｇ／Ｌ以上がより好ましく、７００ｇ／Ｌ以上が更に好ましい。溶解性の観点で、ＪＩＳ Ｚ ８８０１の標準篩を用いて５分間振動させた後、篩目のサイズによる質量分率から求める粉末洗剤組成物の平均粒径は１５０〜１０００μｍが好ましく、より好ましくは１５０〜８００μｍ、更に好ましくは１８０〜６００μｍである。また、利便性の点で、更に圧縮して錠剤形態にしても良いし、１回の使用量を水溶性或いは水不溶性の容器に収納することができる。
【００１２】
柔軟性効果の観点から、本発明の衣料用粉末洗剤組成物は被洗浄物、すなわち衣料１ｋｇに対して、５〜１５ｇ用いることが好ましく、６〜１２ｇがより好ましく、７〜１０ｇが更に好ましい。
【００１３】
＜（ａ）成分＞
本発明の衣料用粉末洗剤組成物は（ａ）成分として下記一般式（Ｉ）で表されるスメクタイト型粘土鉱物（但し、Ｎａ／Ｌｉの質量比が１００／１〜８００／１である）を５〜３０質量％含有する。柔軟性効果、洗浄性能の観点から７〜２５質量％が好ましく、９〜２０質量％がより好ましく、１１〜１６質量％が更に好ましい。
［Ｓｉ8（ＭｇaＡｌb）Ｏ20（ＯＨ）4］x-・Ｍｅx+          （Ｉ）
（式中、０＜ａ≦６、０＜ｂ≦４、ｘ＝１２−２ａ−３ｂ、Ｍｅは、Ｎａ、Ｋ、Ｌｉ、Ｃａ1/2、Ｍｇ1/2およびＮＨ4の少なくとも１種である。）
【００１４】
柔軟性効果の観点から、（ａ）成分におけるＮａ／Ｌｉの質量比は１５０／１〜７００／１が好ましく、２００／１〜６００／１がより好ましく、２５０／１〜５００／１が更に好ましい。
【００１５】
柔軟性効果の観点から、（ａ）成分は、一般式（Ｉ）においてＭｅの５０質量％以上がＮａであることが好ましく、６０質量％以上がより好ましく、６５質量％以上が更に好ましく、７０質量％以上が特に好ましい。
【００１６】
本発明のＮａ／Ｌｉ質量比の粘土鉱物を得る方法として、天然品であれば、産地を選択すればよいし、または、例えば粘土造粒物を製造する際に、Ｎａ塩、Ｌｉ塩等を添加して調整することも可能である。また、合成品であれば公知の方法にて任意に調整が可能である。
【００１７】
本発明のＮａ／Ｌｉ質量比の粘土造粒物を製造する方法として、次の製法が有用である。水分を２０％以上含む原料粘土鉱石に粉末の炭酸ナトリウム等のＮａ塩、炭酸リチウム等のＬｉ塩を添加した後に乾燥する工程を含む製法、または、パウダー状に粉砕した粘土鉱物を造粒機を用いて造粒する際に炭酸ナトリウム等のＮａ塩、炭酸リチウム等のＬｉ塩の粉末や水溶液を添加する工程を含む製法である。
【００１８】
（ａ）成分中のＮａとＬｉの質量比は、粘土鉱物を乳鉢で粉砕し、目開き１２５μｍの篩を通過した試料０．１ｇをマイクロウェーブ湿式灰化装置（自動）で硫酸−過酸化水素分解したのち、メスフラスコにて５０ｍＬにメスアップして、ＩＣＰ発光分析装置で測定してＮａ質量とＬｉ質量を定量して計算することができる。同様に、Ｎａ、Ｌｉを含めた一般式（Ｉ）中のＭｅに該当する全原子の質量を定量して、Ｍｅ中のＮａの質量％を計算することができる。
【００１９】
＜（ｂ）成分＞
本発明の衣料用粉末洗剤組成物は（ｂ）成分として陰イオン界面活性剤を５〜３０質量％含有する。柔軟性効果、洗浄性能の観点から１０〜２８質量％が好ましく、１３〜２６質量％がより好ましく、１６〜２４質量％が更に好ましい。
【００２０】
（ｂ）成分としては、炭素数１０〜１８のアルコールの硫酸エステル塩、炭素数８〜２０のアルコールのアルコキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸アルキルエステル塩又は脂肪酸塩が好ましい。対イオンとしては、アルカリ金属塩やアミン類が好ましく、特にナトリウム及び／又はカリウム、モノエタノールアミン、ジエタノールアミンが好ましい。
【００２１】
柔軟性効果、洗浄性能の観点から（ｂ）成分として少なくともα−スルホ脂肪酸アルキルエステル塩を衣料用粉末洗剤組成物中に２〜２０質量％含有することが好ましく、３〜１６質量％がより好ましく、３〜１２質量％が更に好ましく、４〜１０質量％が特に好ましい。
【００２２】
柔軟性効果、洗浄性能の観点から、α−スルホ脂肪酸アルキルエステル塩としては、炭素数８〜２０（好ましくは炭素数１２〜１８、より好ましくは炭素数１４〜１６）の飽和又は不飽和α−スルホ脂肪酸のメチル、エチルもしくはプロピルエステル塩が好ましく、特に炭素数１２〜１８（好ましくは炭素数１４〜１６）の飽和又は不飽和α−スルホ脂肪酸のメチルエステル塩が好ましい。
【００２３】
柔軟性効果、洗浄性能の観点から、α−スルホ脂肪酸アルキルエステル塩として（ｂ１）α−スルホミリスチン酸アルキルエステル塩〔以下、（ｂ１）成分という〕及び（ｂ２）α−パルミチン酸アルキルエステル塩〔以下、（ｂ２）成分という〕を含むことが好ましく、α−スルホ脂肪酸アルキルエステル塩中、（ｂ１）成分と（ｂ２）成分の合計量が、８０質量％以上、更に９０質量％以上が好ましく、９５質量％以上がより好ましく、９８質量％以上が特に好ましい。
【００２４】
また、柔軟性効果、洗浄性能の観点から、（ｂ１）成分／（ｂ２）成分の質量比は１／９〜３／７が好ましく、１２／８８〜２８／７２がより好ましく、１５／８５〜２５／７５が更に好ましい。
【００２５】
柔軟性効果、洗浄性能の観点から、α−スルホ脂肪酸アルキルエステル塩のナトリウム塩／カリウム塩の質量比は、１００／０〜５０／５０が好ましく、９５／５〜６０／４０がより好ましく、９０／１０〜７０／３０が更に好ましい。
【００２６】
柔軟性効果の観点から、（ａ）成分／α−スルホ脂肪酸アルキルエステル塩の質量比は、６／１〜３／４が好ましく、５／１〜５／６がより好ましく、４／１〜１／１が更に好ましく、３／１〜６／５が特に好ましい。
【００２７】
柔軟性効果の観点から、（ｂ）成分として脂肪酸塩を含有することが好ましく、α−スルホ脂肪酸アルキルエステル塩／脂肪酸塩の質量比２／１〜１／３が好ましく、１／１〜２／５が更に好ましく、４／５〜１／２が特に好ましい。
【００２８】
＜（ｃ）成分＞
本発明の衣料用粉末洗剤組成物は（ｃ）成分として非イオン界面活性剤を０．１〜１０質量％含有する。柔軟性効果、洗浄性能の観点から０．５〜９質量％が好ましく、１〜８質量％がより好ましく、２〜７質量％が更に好ましい。
【００２９】
（ｃ）成分としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが挙げられる。中でも、下記一般式（II）で示される非イオン界面活性剤が好ましい。
【００３０】
Ｒ1−Ｘ−［（ＥＯ）n／（ＰＯ）m］−Ｒ2            （II）
（式中、Ｒ1は炭素数８〜２０の疎水基、−Ｘ−は、−Ｏ−、−ＣＯＯ−、−ＣＯＮＨ−を表わす。ＥＯはオキシエチレン基、ＰＯはオキシプロピレン基、ｎ及びｍは平均付加モル数を表わし、ｎは３〜２０、好ましくは５〜１５、ｍは０〜６、好ましくは０〜３である。なお、ＥＯ群とＰＯ群の付加形態はブロックでもランダムでもよい。Ｒ2は水素原子又は炭素数１〜６の炭化水素基である。）
【００３１】
式中、Ｒ1は炭素数１２〜１８が好ましく、疎水基は炭化水素基が好ましく、アルキル基又はアルケニル基が好ましく、−Ｘ−は、−Ｏ−が好ましく、ｍは０が好ましく、Ｒ2は水素原子が好ましい。
【００３２】
＜（ｄ）成分＞
柔軟性効果、洗浄性能の観点から、本発明の洗剤組成物は、（ｄ）成分として、炭酸アルカリ金属塩を５〜４０質量％含有することが好ましく、１０〜３８質量％がより好ましく、２０〜３６質量％が更に好ましい。
【００３３】
（ｄ）成分としては、炭酸ナトリウム、炭酸カリウムが挙げられる。中でも、炭酸ナトリウム塩及び炭酸カリウム塩を含むことが好ましい。炭酸ナトリウム塩／炭酸カリウム塩の質量比は１０／０〜４／６が好ましく、９／１〜３／４がより好ましく、８／１〜１／１が更に好ましく、７／１〜２／１が特に好ましく、６／１〜４／１が最も好ましい。（ｄ）成分中、炭酸ナトリウム塩及び炭酸カリウム塩の合計量は９０質量％以上、更に９５質量％以上が好ましい。
【００３４】
＜その他成分＞
本発明の衣料用粉末洗剤組成物は、衣料用洗浄剤の分野で公知の他の界面活性剤、ビルダー、再汚染防止剤（カルボキシメチルセルロース等）、柔軟化剤、漂白剤（過炭酸塩、過ホウ酸塩等）、漂白活性化剤、蛍光増白剤、抑泡剤（シリコーン等）、酵素（セルラーゼ、プロテアーゼ、アミラーゼ等）、還元剤（亜硫酸塩等）、着色剤、香料等を含有させることができる。
【００３５】
（ｄ）成分以外のビルダーとしては、洗剤・洗浄の事典、（株）朝倉書店、1990年11月25日初版第１刷、奥山春彦、皆川基編集、５６頁〜７４頁記載のビルダーが挙げられる。中でも無機系ビルダーとしては、ゼオライト、非晶質アルミノ珪酸塩、結晶性珪酸塩、トリポリリン酸ナトリウム、ピロリン酸ナトリウム、珪酸塩、が好ましく、有機系ビルダーとしては、アミノカルボン酸塩、ヒドロキシアミノカルボン酸塩、ヒドロキシカルボン酸塩、シクロカルボン酸塩、エーテルカルボン酸塩、有機カルボン酸（塩）ポリマー、が好ましい。特に無機系ビルダーとしては、ゼオライト、珪酸塩、が好ましく、有機系ビルダーとしては、有機カルボン酸（塩）ポリマー、が好ましい。
【００３６】
洗剤粒子の流動性及び耐ケーキング性の観点から、表面改質を行っても良い。表面改質剤としては、例えば、アルミノケイ酸塩、ケイ酸カルシウム、二酸化ケイ素、粘土鉱物、非晶質シリカ誘導体、結晶性シリケート化合物等のシリケート化合物、金属石鹸等の微粉体が挙げられる。より好ましくはアルミノ珪酸塩、結晶性シリケートであり、更に好ましくはアルミノ珪酸塩である。表面改質剤の含量は保存安定性の点で、本発明の洗剤組成物中の２０質量％以下が好ましく、１５質量％以下がより好ましく、１０質量％以下が更に好ましい。また、表面改質の点で、本発明の洗剤組成物中の１質量％以上が好ましく、３質量％以上がより好ましく、５質量％以上が更に好ましい。
【実施例】
【００３７】
表１に示した粉末洗剤組成物を製造し、柔軟性効果、洗浄性能を以下の方法で評価した。なお、表１の組成物は、ＪＩＳ Ｋ ３３６２：１９９８記載の２０℃で測定する０．１質量％水溶液のｐＨは何れも１０〜１１であった。また、ＪＩＳ Ｋ ３３６２：１９９８により規定された方法で測定する見掛け密度は何れも７００〜１０００ｇ／Ｌであった。また、ＪＩＳ Ｚ ８８０１の標準篩を用いて５分間振動させた後、篩目のサイズによる質量分率から求める粉末洗剤組成物の平均粒径は何れも１８０〜６００μｍであった。
【００３８】
〔柔軟性効果の評価方法〕
（評価用タオルの調製）
市販の綿タオル（綿１００％）をミニ洗濯機（National Panasonic Matsushita Electric製「Ｎ−ＢＫ２」）を用いて、前処理剤により前処理した。その際の前処理剤には、（Ｘ）非イオン界面活性剤（炭素数１２の１級アルコールにエチレンオキサイドを平均６モル付加させたもの）、（Ｙ）結晶性シリケート（「プリフィード顆粒品」）、（Ｚ）炭酸ナトリウムを、（Ｘ）：（Ｙ）：（Ｚ）＝１：１：３（質量比）で混合した混合物を０．５ｇ／Ｌで使用した。前処理は、水温２０℃で７分洗浄後、遠心脱水、３分ためすすぎ、脱水、３分ためすすぎ、脱水するサイクルを合計５回繰り返し、前処理剤を除去したものを評価用タオル（前処理タオル）として使用した。
【００３９】
（洗浄条件及び評価方法）
２０℃の水７Ｌに表１の洗剤組成物３．５ｇを溶解し、綿タオル０．４ｋｇ（７０ｃｍ×３０ｃｍで４枚）を投入し、７分間洗った。脱水後、タオルを水７Ｌで３分ためすすぎ、脱水、３分ためすすぎ、脱水して風乾した。
【００４０】
洗剤組成物で洗った綿タオルと前処理タオルとを一対として５人の判定者が手触りの柔らかさを官能評価した。差がない場合及び洗浄タオルの方が前処理タオルより硬くなる場合を０点、わずかに柔らかくなる場合を１点、少し柔らかくなる場合を２点、明らかに柔らかくなる場合を３点とし、５人の合計点を以下のように示した。
評価基準
Ａ：合計１０点以上
Ｂ：合計５点以上９点以下
Ｃ：合計４点以下
【００４１】
〔洗浄性能の評価方法〕
ＪＩＳ Ｋ３３６２：１９９８記載の襟あか布を調製し、これを用いて、ＪＩＳ Ｋ ３３６２：１９９８記載の衣料用合成洗剤の洗浄力評価方法に準じ、表１の洗剤組成物と洗浄力判定用指標洗剤の洗浄力を比較した。表１の洗剤組成物の使用濃度を０．５ｇ／Ｌとした。但し、使用水に用いた塩化カルシウム・二水和物は２７０ｍｇ／Ｌとした。以下の基準で判定した。
○：指標洗剤より洗浄力が勝る
△：指標洗剤と洗浄力が同等
×：指標洗剤より洗浄力が劣る
【００４２】
【表１】
2008044988.tif 000002
【００４３】
表中の成分は以下のものである。なお、ＥＯはエチレンオキサイド、ＰＯはプロピレンオキサイドの略である。
・粘土鉱物１：ラウンドロジルＤＧ（ズッドケミー社製）を粉末状炭酸ナトリウム及び粉末状炭酸リチウム共に造粒したもの（Ｎａ／Ｌｉ質量比：４００／１、一般式（Ｉ）におけるＭｅ中のナトリウム塩含量７２質量％）
・粘土鉱物２：ラウンドロジルＤＧ（ズッドケミー社製）を粉末状炭酸ナトリウム及び粉末状炭酸リチウム共に造粒したもの（Ｎａ／Ｌｉ質量比：４００／１、一般式（Ｉ）におけるＭｅ中のナトリウム塩含量４０質量％）
・粘土鉱物３：ラウンドロジルＤＧ（ズッドケミー社製）を粉末状炭酸ナトリウム及び粉末状炭酸リチウム共に造粒したもの（Ｎａ／Ｌｉ質量比：２００／１、一般式（Ｉ）におけるＭｅ中のナトリウム塩含量７２質量％）
・粘土鉱物４：ラウンドロジルＤＧ（ズッドケミー社製）を粉末状炭酸ナトリウム及び粉末状炭酸リチウム共に造粒したもの（Ｎａ／Ｌｉ質量比：５０／１、一般式（Ｉ）におけるＭｅ中のナトリウム塩含量７２質量％）
・粘土鉱物５：ラウンドロジルＤＧ（ズッドケミー社製）を粉末状炭酸ナトリウム及び粉末状炭酸リチウム共に造粒したもの（Ｎａ／Ｌｉ質量比：１２００／１、一般式（Ｉ）におけるＭｅ中のナトリウム塩含量７２質量％）
・α−ＳＦＥ−Ｎａ１：α−スルホラウリン酸メチルエステルナトリウム
・α−ＳＦＥ−Ｎａ２：α−スルホミリスチン酸メチルエステルナトリウム
・α−ＳＦＥ−Ｎａ３：α−スルホパルミチン酸メチルエステルナトリウム
・α−ＳＦＥ−Ｎａ４：α−スルホステアリン酸メチルエステルナトリウム
・α−ＳＦＥ−Ｋ：α−スルホ脂肪酸メチルエステルカリウム（炭素数１４の脂肪酸／炭素数１６の脂肪酸＝２０／８０、質量比）
・ＬＡＳ−Ｎａ：アルキル基の炭素数が１０〜１４のアルキルベンゼンスルホン酸ナトリウム
・石鹸：パーム核油脂肪酸ナトリウム
・非イオン界面活性剤１：炭素数１２〜１４の直鎖第１級アルコールに、ＥＯを平均７モル付加した非イオン界面活性剤
・非イオン界面活性剤２：炭素数１２〜１４の第２級アルコールに、ＥＯを平均７モル付加した非イオン界面活性剤（株式会社日本触媒、ソフタノール７０Ｈ）
・非イオン界面活性剤３：炭素数１２〜１４の直鎖第１級アルコールに、ＥＯを平均５モル、ＰＯを平均２モル、ＥＯを平均３モルの順にブロック付加した非イオン界面活性剤
・ＰＥＧ：ポリエチレングリコール（重量平均分子量１３０００）
・ＡＡ／ＭＡポリマー：アクリル酸−マレイン酸コポリマー（ナトリウム塩（７０モル％中和）であり、モノマー比はアクリル酸／マレイン酸＝３／７（モル比）、平均分子量７００００）
・蛍光染料：チノパールＣＢＳ−Ｘ（チバ・スペシャルティ・ケミカルズ社製）
・酵素：セルラーゼＫ（特開昭６３−２６４６９９号公報記載）、リポラーゼ１００Ｔ（ノボ社製）を３：１の質量比で混合したもの
・漂白剤：炭酸ナトリウム・過酸化水素付加物（過炭酸ナトリウム）（特開２０００−２５６６９９号公報の段落００１９に記載の漂白剤粒子）
・漂白活性化剤：ラウロイルオキシベンゼンスルホン酸ナトリウム造粒物（特開２０００−２５６６９９号公報の段落００１８記載の漂白剤粒子）